(57)【特許請求の範囲】
【請求項１】
上面に機器類を設置可能であると共に、下部に基礎床面に接触した免震部が設けられ、複数のアングル部材が組み合わされて、外形形状の角部を結ぶ線の内側が直方体状となる骨組みにより形成された免震架台と、
上面にフリーアクセスフロアを設置可能であると共に、下部に基礎床面に接触した免震部が設けられ、前記免震架台に隣接して設けられた免震構造体とを備え、
前記免震架台の長さ方向外側に突出する前記アングル部材の端部は、前記免震架台に隣接する前記免震構造体の端部とネジ締結により連結されるように形成された
ことを特徴とする免震床構造。
【請求項２】
前記免震架台の下部に設けられた前記免震部は、前記免震架台に隣接する前記免震構造体とネジ締結により連結されるように形成された
ことを特徴とする請求項１に記載の免震床構造。
【請求項３】
前記免震部はボールベアリング等の低摩擦体を有することを特徴とする請求項１又は２に記載の免震床構造。
【発明の詳細な説明】
【技術分野】
【０００１】
本発明は、例えば、上面に設置した機器類に対して免震動作することにより、地震等による建物の振動や変位がその機器類に直接そのまま伝わるのを防止するために用いられる免震床構造に関するものである。
【背景技術】
【０００２】
従来の免震床構造としては、図８に示すように、コンクリートスラブの平らな基礎床面１１上に配置された免震フレーム４からなる免震床構造があった。この免震フレーム４は、その上にフリーアクセスフロア６を載せて取付けた場合において、地震等による建物の振動や変位がフリーアクセスフロア６に直接伝わるのを防止するために用いられていた（特許文献１参照）。
【０００３】
このような従来の免震床構造である免震フレーム４は、図９に示すように、その長さ方向（図中上下方向）に伸びるように形成されたフレーム８が、その長さ方向が略平行になるように、その長さ方向に対して垂直の方向（図中左右方向）に間隔をおいて複数並んで配置されていた。
【０００４】
免震フレーム４のフレーム８は、図９に示すように、その長さ方向の端部同士が互いに、図１０に示すように断面がコの字状に形成された連結部材１０により連結されて、その長さ方向に継ぎ足して延長可能になっていた。
【０００５】
そして、図９に示すように、免震フレーム４の連結リブ１２は、その長さ方向がフレーム８の長さ方向に対して略垂直の方向に伸びるようにして、複数のフレーム８間に複数並んで配置されており、フレーム８と連結リブ１２は上から見ると多数の格子枠を形成するようになっていた。そして、免震フレーム４のブレース１４は、フレーム８と連結リブ１２により形成された格子枠の１本の対角線上に配置されていた。
【０００６】
免震フレーム４のフレーム８は、その長さ方向に所定の間隔をおいて、その側部に板状に突出した突起部８ａが複数形成されており、その突起部８ａに形成された貫通孔を通るボルト等の連結部材を介して、連結リブ１２及びブレース１４に連結されていた。
【０００７】
そして、免震フレーム４のフレーム８は、その長さ方向に一定の間隔をおいた位置の下部のそれぞれに、図１０に示すように、ボールベアリング１６が設けられていた。これらのボールベアリング１６は、基礎床面１１に接触して転がるようになっているため、免震フレーム４は基礎床面１１上をどの水平方向にも自由に動くことができるようになっていた。
【０００８】
また、従来の免震床構造である免震フレーム４は、図９における縦横両方向に同様の部材を接続して拡大させることができ、略部屋一杯に配置できるようになっていた。
【０００９】
このようにして拡大させた免震フレーム４全体の四隅の角部と、部屋の壁やその隅部との間に、不図示のダンパやコイルバネが取付けられることにより、地震等による建物の振動や変位を吸収して免震フレーム４が水平方向に移動する量を低減させることができるようになっていた。
【００１０】
また逆に、免震フレーム４が設置された部屋の壁に対して水平方向に相対的に移動した免震フレーム４に対してダンパやコイルバネが復元力を発揮して、免震フレーム４を部屋の壁に対して相対的な元の位置に戻すことができるようになっていた。
【００１１】
図１１に示すように、免震フレーム４の上にはフリーアクセスフロア６を載せて設置できるようになっていた。このフリーアクセスフロア６は、免震フレーム４の上方の、同一水平面上に配置され、上から見て縦横に互いに隣合うように整列して複数配置されているフロアパネル１８と、このフロアパネル１８をその下から支持する支持脚２０により構成されていた。
【００１２】
このフリーアクセスフロア６の支持脚２０は、その平面形状が略正方形であるフロアパネル１８の四隅各部を、その下側から支持する、その平面形状が円形又は矩形状等に形成されたパネル調整台２０ａと、このパネル調整台２０ａの下端部に同一軸線上に連結され、免震フレーム４のフレーム８の上面８ｂから立設するよう下端部がフレーム８に固定された脚部２０ｂとを有するようになっていた。
【００１３】
このような従来の免震床構造である免震フレーム４によれば、地震等の発生時において、免震フレーム４が水平方向に動くことにより、フリーアクセスフロア６に地震等による建物の振動や変位を直接そのまま伝えないで、その振動や変位を十分低減させてから伝えるような免震動作をすることができるようになっていた。
【先行技術文献】
【特許文献】
【００１４】
【特許文献１】特許第４２７９０７５号公報
【発明の概要】
【発明が解決しようとする課題】
【００１５】
図１１に示すような、基礎床面１１上に免震フレーム４が配置され、この免震フレーム４の上にフリーアクセスフロア６を設置された上記従来の免震床構造において、例えば大型サーバーのような大きな重量を有する機器や装置等（以下、機器類と称する）を部屋内に設置する場合には、フリーアクセスフロア６のフロアパネル１８の上面１８ａに載置することになる。
【００１６】
このような大きな重量を有する機器類は、免震フレーム４上のフリーアクセスフロア６のフロアパネル１８の上面１８ａに載置されるだけでは、地震等の発生時において、免震フレーム４が揺れ動くことによりフロアパネル１８の上で動いたり転倒したりするおそれがあるので、フロアパネル１８に固定されることがある。
【００１７】
しかしながら、このフリーアクセスフロア６は、その敷設後にフロアパネル１８の下側の床下空間の利用等のために、フロアパネル１８を支持脚２０から取外すことがあるため、フロアパネル１８を支持脚２０上に着脱可能に載置するだけのパネルフリー方式の構造が、一般的に採用されるようになっていた。
【００１８】
このようなパネルフリー方式のフリーアクセスフロア６では、フロアパネル１８は支持脚２０上に載置されているだけなので、地震等により機器類に伝えられる建物の振動や変位が、機器類の下方に位置する免震フレーム４により低減されたとしても、機器類を固定したフロアパネル１８が支持脚２０から浮き上がってしまうおそれがあった。
【００１９】
したがって、上記のような大きな重量を有する機器類は、このようなパネルフリー方式のフリーアクセスフロア６のフロアパネル１８に固定しただけでは、地震等によるその移動や転倒を防止することができないという問題があった。
【００２０】
このため、上記機器類をフリーアクセスフロア６上に設置する際には、例えば、フロアパネル１８の四隅が支持脚２０に固定されるようになっているパネル固定方式の構造を採用することも考えられるが、パネルフリー方式のフロアパネル１８とは異なる一般的ではない特殊なフロアパネルを用いる必要があり、また、敷設後のフロアパネル１８の下側の床下空間の利用等をするには、フロアパネル１８の支持脚２０への固定を解除することが必要となるため、その手間が掛かるという問題があった。
【００２１】
また、フロアパネル１８の上に機器類を設置する場合には、そのフロアパネル１８を機器類の配線のために着脱したり、機器類を固定するために加工したりする必要があり、その手間が掛かることにより、その設置にかかる費用が高くなるという問題があった。
【００２２】
このため、機器類をフロアパネル１８の上に設置するのではなく、基礎床面１１の上に直接設置することも考えられるが、免震フレーム４やフリーアクセスフロア６がある基礎床面１１の位置には機器類を設置することができないという問題があった。
【００２３】
また、仮に免震フレーム４やフリーアクセスフロア６がない場所を作って、その場所の基礎床面１１の上に機器類を直接設置した場合には、機器類と基礎床面１１の間に免震フレーム４が設けられていないので、その機器類は免震フレーム４による免震動作を受けることができないという問題があった。
【００２４】
また、機器類を免震フレーム４の上に設置する場合には、機器類の重量に耐えうるように予め免震フレーム４のフレーム８や連結リブ１２、ブレース１４の強度を高くしておく必要があり、その分重量が重くなると共に、機器類を固定するために加工したりする必要があるので、設置に手間が掛かるという問題があった。
【００２５】
そこで本発明は、上記問題点に鑑みて、その上部に配置されて固定される機器類が地震等により移動したり転倒するのを防止することができ、その設置や撤去、及び機器類の設置にかかる労力や費用を低減することができると共に、機器類が免震動作を受けることができる免震床構造を提供することを課題とするものである。
【課題を解決するための手段】
【００２６】
上記課題を解決するために、本発明による免震床構造は、
上面に機器類を設置可能であると共に、下部に基礎床面に接触した免震部が設けられ、複数のアングル部材が組み合わされて、外形形状の角部を結ぶ線の内側が直方体状となる骨組みにより形成された免震架台と、
上面にフリーアクセスフロアを設置可能であると共に、下部に基礎床面に接触した免震部が設けられ、前記免震架台に隣接して設けられた免震構造体とを備え、
前記免震架台の長さ方向外側に突出する前記アングル部材の端部は、前記免震架台に隣接する前記免震構造体の端部とネジ締結により連結されるように形成されたことを特徴とするものである。
【００２７】
また、本発明による免震床構造は、
前記免震架台の下部に設けられた前記免震部は、前記免震架台に隣接する前記免震構造体とネジ締結により連結されるように形成されたことを特徴とするものである。
【００２８】
また、本発明による免震床構造は、
前記免震部はボールベアリング等の低摩擦体を有することを特徴とするものである。
【発明の効果】
【００２９】
このような本発明の免震床構造によれば、
上面に機器類を設置可能であると共に、下部に基礎床面に接触した免震部が設けられた免震架台を備えたことにより、
免震床構造の上部に配置されて固定される機器類が地震等により移動したり転倒するのを防止することができ、その設置や撤去、及び機器類の設置にかかる労力や費用を低減することができると共に、機器類が免震動作を受けることができる。
【図面の簡単な説明】
【００３０】
【図１】本発明の一実施の形態に係る免震床構造４０の一部を構成する免震架台４２を示す正面図である。
【図２】図１に示す免震架台４２の上面図である。
【図３】図２に示す免震架台４２のＡ−Ａ線矢視断面図である。
【図４】図２に示す枠体６０の１つを示す図であって、図４（ａ）はその上面図、図４（ｂ）はその側面図、図４（ｃ）は図４（ａ）における枠体６０のＢ矢視図である。
【図５】図１に示す免震架台４２と免震フレーム２４を組み合わせた免震床構造４０を示す正面図である。
【図６】図５に示す免震床構造４０の上面図である。
【図７】フリーアクセスフロア６と組み合わされた免震床構造４０の正面図である。
【図８】従来の免震床構造である免震フレーム４を示す正面図である。
【図９】図８に示す免震フレーム４の上面図である。
【図１０】図９に示す免震フレーム４におけるＣ−Ｃ線矢視拡大断面図である。
【図１１】フリーアクセスフロア６と組み合わされた免震フレーム４の正面図である。
【発明を実施するための形態】
【００３１】
以下、本発明に係る免震床構造を実施するための形態について、図面に基づいて具体的に説明する。
【００３２】
図１から図７は、本発明の一実施の形態に係る免震床構造４０について説明するために参照する図である。これらの図に示す免震床構造４０は、前記従来の免震床構造と同様の部分には同じ符号を付して説明し、従来と同様の構成についての重複する説明は一部を除き省略するものとする。
【００３３】
本発明の一実施の形態に係る免震床構造４０は、図１に示すように、コンクリートスラブの平らな基礎床面１１上に免震架台４２が配置されており、この免震架台４２の下部に設けられた免震部４４の複数のボールベアリング４６（低摩擦体）のそれぞれが、基礎床面１１に接触して転がることができるようになっている。
【００３４】
この免震床構造４０の免震架台４２は、図１から図３に示すように、鋼鉄製で、断面がＬ字状のアングル部材４８，５０，５２，５４，５６（長尺部材）が、縦・横・高さの三方向に伸びるように組み合わされており、互いの接触する部分をネジ締結や溶接によって固定されることにより、外形形状の角部を結ぶ線の内側が直方体状となる骨組みにより形成されている。
【００３５】
すなわち、図１から図３に示すように、免震床構造４０の免震架台４２は、アングル部材４８，５０，５２が組み合わされて形成され、図２中上下方向に長さを有する略矩形の枠状に形成された、図４（ａ）から（ｃ）に示すような枠体６０を有する。
【００３６】
枠体６０は、図２に示すように、その長さが免震架台４２の長さ方向（図中上下方向）に沿って配置され、図中上下２つの枠体６０の上下方向中央部において互いに隣接する端部のそれぞれに設けられた、一対のアングル部材５２同士が接触し、その接触部をネジ締結や溶接をすることによって、２つの枠体６０は互いにその長さ方向に連結されるようになっている。
【００３７】
そして、複数の枠体６０はその長さ方向同士が互いに平行になるように、図中左右方向に間隔をおいて複数並んで配置されている。
【００３８】
この免震架台４２の枠体６０は、図１，図３，図４（ｃ）に示すような下部アングル部材４８と、この下部アングル部材４８の上方に断面が対称となるよう配置される上部アングル部材５０と、以下のような連結アングル部材５２とが組み合わされて構成されている。
【００３９】
すなわち、図１，図３，図４（ｃ）に示すように、連結アングル部材５２は、その長さ方向両端部のそれぞれが、下部アングル部材４８の上向き面４８ａと、上部アングル部材５０の下向き面５０ａに突き当てられて、溶接により固定されることによって、下部アングル部材４８と上部アングル部材５０を同図中上下方向に連結するように設けられている。
【００４０】
図１から図３に示すように、免震架台４２は３本の枠体６０の一端部同士を接続する接続アングル部材５４を有し、この接続アングル部材５４は、その長さ方向が枠体６０の長さ方向に対して略垂直方向に伸びるように配置されて設けられている。
【００４１】
このとき、図２中の免震架台４２の上下両端部に配置される枠体６０の長さ方向の各端部の先端面に、接続アングル部材５４の断面が逆Ｌ字型の二辺のうちの一辺で、図１中上下方向に幅を有する辺の外側面が接触して、溶接により固定されている。
【００４２】
そして、免震架台４２は、図２に示すように、３本の枠体６０の他端部同士を接続する接続アングル部材５６を有し、この接続アングル部材５６は、その長さ方向が枠体６０の長さ方向に対して略垂直の方向になるように、隣合う枠体６０間に配置されて設けられている。
【００４３】
このとき、接続アングル部材５６の長さ方向両端部が、連結アングル部材５２の断面のＬ字の二辺のうち、枠体６０の長さ方向と平行な辺の内側面に接触したり、又は上記両端部の一方が連結アングル部材５２の断面のＬ字の二辺のうちの同じ辺の内側面に接触して、他方が上部アングル部材５０の図３中縦方向の辺の外側面に接触した状態で、溶接により固定されている。
【００４４】
図２において、免震架台４２の複数の枠体６０の中で、免震架台４２の幅方向（図中左右方向）両端側に位置する枠体６０の、上部アングル部材５０の外側鉛直面には、図３に示すように、断面が逆さＬ字状に配置された取付アングル部材５８の外側鉛直面が接触して、溶接により固定されている。
【００４５】
そして、免震架台４２は、枠体６０の下部アングル部材４８の底面の、長さ方向に一定の間隔をおいた位置のそれぞれに、図１，図３に示すような、免震部４４が取付けられるようになっている。これらの免震部４４は、その下部に設けられたボールベアリング４６が、基礎床面１１に接触して転がるようになっているため、免震架台４２は基礎床面１１上をどの水平方向にも自由に動くことができるようになっている。
【００４６】
また、図５及び図６に示すように、免震架台４２の水平方向の周囲には免震フレーム２４（免震構造体）が配置されており、この免震フレーム２４が有するフレーム８は、その下部に設けられたボールベアリング１６が基礎床面１１に接触して転がることができるようになっている。このため、免震フレーム２４は基礎床面１１上をどの水平方向にも自由に動くことができるようになっている。
【００４７】
このような免震フレーム２４は、中央部に免震架台４２が配置される空間が形成される以外は、前記従来の免震床構造である免震フレーム４と同様の構成を有している。例えば、免震フレーム２４は、前記従来の免震フレーム４と同様に、その四隅の角部と、部屋の壁やその隅部との間に、不図示のダンパやコイルバネが取付けられるようになっている。
【００４８】
図５，図４（ｃ）に示すように、免震架台４２は、枠体６０の下部アングル部材４８の上向き面４８ａの高さが、免震フレーム２４のフレーム８の上面８ｂの高さと略同一になっている。
【００４９】
そして、図６に示すように、枠体６０からその長さ方向外側に突出した下部アングル部材４８の端部の上向き面４８ａからフレーム８の上面８ｂの上にわたって掛け渡される板状のプレート６２の両端部が、ボルト等により下部アングル部材４８とフレーム８に一体的に固定されることにより、免震架台４２は免震フレーム２４と連結されるようになっている。
【００５０】
これにより、免震架台４２は、免震フレーム２４の中央部の空間に配置されて免震フレーム２４に固定され、これら両者は一体的に基礎床面１１上をどの水平方向にも自由に動くことができるようになっている。
【００５１】
また、図１に示すように、免震架台４２の免震部４４には、その側部に板状に突出した突起部４４ａがそれぞれ形成されており、図６に示すように、その突起部４４ａに形成された貫通孔を通るボルト等の連結部材を介して、免震フレーム２４に連結された連結リブ１２及びブレース１４に連結されるようになっている。
【００５２】
なお、図６においては、免震床構造４０の構成の説明の便宜上、免震架台４２の取付アングル部材５８と接続アングル部材５４は、その図示を省略されている。
【００５３】
免震架台４２は、免震フレーム２４に着脱可能に固定されるようになっているため、免震フレーム２４が設置された後においても、免震フレーム２４の中央部に免震架台４２が配置される空間を設けることにより、免震架台４２を免震フレーム２４の中央に配置することができ、免震架台４２に免震フレーム２４の取付け、取外しを行なうことができるようになっている。
【００５４】
また、逆に、免震架台４２が設置された後においても、免震フレーム２４を免震架台４２に取付け、取外しを行なうことができるようになっている。
【００５５】
また、図６に示す免震架台４２の、枠体６０により隠れて見えない免震部４４の、その免震架台４２の中央側に突出する突起部４４ａのそれぞれが、互いに形成された貫通孔を通るボルト等の連結部材を介して、免震フレーム２４に連結されていない連結リブ１２及びブレース１４に連結されるようになっている。
【００５６】
さらに免震架台４２は、その骨組みが直方体状に形成されており、プレート６２や連結リブ１２、ブレース１４により免震フレーム２４が取付けられるようになっているため、免震架台４２の上に設置される機器類の配線をする際に、その骨組み以外の部分がその妨げとならないようになっている。
【００５７】
また、免震架台４２は、複数の平行に配置された枠体６０と、枠体６０同士を接続する部材と、その下部に設けられた免震部４４だけで構成することができるため、その部品点数を少なくすることができ、かつ、その軽量化を図ることができるようになっている。
【００５８】
また、図７に示すように、免震架台４２の水平方向の周囲の免震フレーム２４のフレーム８上にはフリーアクセスフロア６が載置されて、そのフリーアクセスフロア６の支持脚２０の下端部が免震フレーム２４のフレーム８の上面８ｂ上に固定されている。
【００５９】
このとき、免震架台４２の水平方向の外周に固定された接続アングル部材５４や取付アングル部材５８の、断面の逆Ｌ字型の二辺のうちの水平となっている辺の上面に、フリーアクセスフロア６のフロアパネル１８の下面を載置することができ、免震架台４２とフリーアクセスフロア６を一体化してそれらの間に隙間ができないようにすることができる。
【００６０】
このとき、図７に示すように、免震架台４２の枠体６０の上部アングル部材５０の上面の高さは、免震フレーム２４上に固定されたフリーアクセスフロア６のフロアパネル１８の上面１８ａの高さと略同一になっているので、それらの上面は同一水平面上に配置されている。
【００６１】
また、免震架台４２の接続アングル部材５４や取付アングル部材５８の上面に、フリーアクセスフロア６のフロアパネル１８の下面を接触させて固定した部分には、その下にフリーアクセスフロア６の支持脚２０を設ける必要がないため、部品点数を削減することができるようになっている。
【００６２】
このような免震床構造４０の免震架台４２の上には、前記のような大きくて重い機器類を載置して固定することができ、このような機器類は免震フレーム２４やフリーアクセスフロア６の上に載置するようにはなっていない。
【００６３】
以上に説明したように、本実施の形態に係る免震床構造４０によれば、大きくて重い機器類を免震フレーム２４やフリーアクセスフロア６の上に載置するようにはなっていないため、免震フレーム２４のフレーム８や連結リブ１２、ブレース１４、及びフリーアクセスフロア６のフロアパネル１８や支持脚２０の強度を高くする必要がないので、それらの強度を高くすることによりその重量が重くなることを防止することができる。
【００６４】
また、免震架台４２の上に上記のような機器類を載置して固定することができるため、地震等の発生時において、免震架台４２が免震動作することにより機器類に伝えられる振動や変位が低減されると共に、免震架台４２が揺れ動くことによりその上に位置する機器類が免震架台４２に対して移動したり転倒するのを防止することができる。
【００６５】
また、上記のような機器類を載置する際にフロアパネル１８を着脱する必要がなく、また、フロアパネル１８に機器類を設置するための加工をする必要もないため、それらの手間が掛かることがないので、機器類の設置にかかる費用を低減することができる。
【００６６】
また、免震架台４２の上に上記のような機器類を載置することができると共に、免震架台４２は基礎床面１１との間に、そのボールベアリング４６が設けられているので、その機器類は免震架台４２による免震動作を十分受けることができる。
【００６７】
また、免震架台４２は直方体状の骨組みの間に充分な開口部を有する構造になっているため、その開口部を用いて機器類の配線をすることができるので、フロアパネル１８に配線用の大きな孔を設ける必要がなく、またその加工の手間が掛かることを防止することができる。
【００６８】
なお、前記実施の形態に係る免震床構造４０における免震架台４２は、コンクリートスラブの平らな基礎床面１１上に配置されるようになっていたが、その代わりに、ステンレス鋼板等の金属製の板をコンクリートスラブの上に敷設して、そのステンレス鋼板等の上面の平滑面を基礎床面として、その上に免震架台４２等が配置されるようになっていてもよい。
【００６９】
このようなステンレス鋼板等の金属製の板上面の平滑面を基礎床面とすることにより、コンクリートスラブの上面よりも平滑な基礎床面を容易に設けることができると共に、免震架台４２の免震部４４の下部に設けられたボールベアリング４６を、コンクリートスラブの場合よりも円滑に転がすことができる。
【００７０】
また、前記実施の形態に係る免震床構造４０における免震架台４２は、その下部にボールベアリング４６が設けられるようになっていたが、基礎床面に対する摩擦を小さくことができるようになっていれば、ボールベアリング４６以外の低摩擦体が設けられるようになっていてもよい。
【００７１】
また、前記実施の形態に係る免震床構造４０における免震架台４２は、水平方向に対して免震動作をすることができる構造の免震部４４を有するようになっていたが、水平方向だけでなく垂直方向に対しても免震動作をすることができる構造の免震部を有するようになっていてもよい。
【００７２】
また、前記実施の形態に係る免震床構造４０における免震架台４２は、枠体６０がその長さ方向に２つずつ連結して配置されていると共に、その長さ方向に対して垂直方向に間隔をおいて互いに略平行になるように複数並んで配置されるようになっていたが、枠体６０はその長さ方向に２つずつ連結しないで、１つずつ並んで配置されるようになっていてもよいし、３つ以上の枠体６０が長さ方向に連結した状態で並んで配置されるようになっていてもよい。
【００７３】
また、前記実施の形態に係る免震床構造４０における免震架台４２は、枠体６０の下部アングル部材４８の上向き面４８ａの高さが、免震フレーム２４のフレーム８の上面８ｂの高さと略同一になっており、それらの上に掛け渡される板状のプレート６２を介して、ボルト等によりフレーム８に一体的に固定されるようになっていたが、免震架台４２と免震フレーム２４とを連結することができるようになっていれば、この実施の形態に限定されない。
【００７４】
例えば、免震架台４２は、その枠体６０の下部アングル部材４８の上向き面４８ａの高さが、免震フレーム２４のフレーム８の上面８ｂの高さと略同一になっていなくてもよく、また、プレート６２を介さずに、免震架台４２の枠体６０の下部アングル部材４８の底面が免震フレーム２４のフレーム８の上面８ｂに直接接触して固定されるようになっていてもよい。
【００７５】
また、前記実施の形態に係る免震床構造４０における免震架台４２は、その免震部４４に、その側部に板状に突出した突起部４４ａがそれぞれ形成されており、その突起部４４ａに形成された貫通孔を通るボルト等の連結部材を介して、免震フレーム２４に連結された連結リブ１２及びブレース１４に連結されるようになっていたが、免震架台４２が免震フレーム２４に連結されるようになっていれば、免震部４４に突起部４４ａが形成されるようになっていなくてもよい。また、免震フレーム２４の連結リブ１２及びブレース１４に連結されるようになっていなくてもよい。
【００７６】
また、免震架台４２は、前記実施の形態に係る構成のものに限定する必要はなく、本発明の効果を享受できるように構成されているものであれば、他のどのような構成の免震架台を用いてもよい。
【００７７】
また、前記実施の形態に係る免震床構造４０においては、従来の免震床構造と同様に、免震フレーム２４の四隅の角部と、部屋の壁やその隅部との間に、ダンパやコイルバネが取付けられるようになっていたが、免震架台４２の四隅の角部と、その外側に配置された免震フレーム２４との間にも、それを可能にする構造を用いることにより、ダンパやコイルバネが取付けられるようになっていてもよい。
【符号の説明】
【００７８】
４  免震フレーム
６  フリーアクセスフロア
８  フレーム
８ａ  突起部
８ｂ  上面
１０  連結部材
１１  基礎床面
１２  連結リブ
１４  ブレース
１６  ボールベアリング
１８  フロアパネル
１８ａ  上面
２０  支持脚
２０ａ  パネル調整台
２０ｂ  脚部
２４  免震フレーム
４０  免震床構造
４２  免震架台
４４  免震部
４４ａ  突起部
４６  ボールベアリング
４８  下部アングル部材
４８ａ  上向き面
５０  上部アングル部材
５０ａ  下向き面
５２  連結アングル部材
５４，５６  接続アングル部材
５８  取付アングル部材
６０  枠体
６２  プレート
【図１】
0005456713.tif 000002
【図２】
0005456713.tif 000003
【図３】
0005456713.tif 000004
【図４】
0005456713.tif 000005
【図５】
0005456713.tif 000006
【図６】
0005456713.tif 000007
【図７】
0005456713.tif 000008
【図８】
0005456713.tif 000009
【図９】
0005456713.tif 000010
【図１０】
0005456713.tif 000011
【図１１】
0005456713.tif 000012